(57)【特許請求の範囲】
【請求項１】
発信の元となる発側端末の通信回線への接続処理を行う発側ゲートウェイと、該発信が着信する着側端末の前記通信回線への接続処理を行う着側ゲートウェイと、前記発側端末から前記着側端末への発信が行われた場合、該着側端末が応答するまでの間、該発側端末へ映像リングバックトーンを送信するサーバとを有する通信システムにおいて、
前記サーバは、前記発信が行われた際、前記発側端末の能力を示す発側能力情報データと、あらかじめ登録された前記着側端末の能力を示す着側能力情報データとを、該発側端末との間で交換し、前記着側端末が応答した際、前記交換した発側能力情報データと、前記着側端末が有する着側能力情報データとを、前記着側端末との間で交換し、
前記着側ゲートウェイは、前記着側端末と前記サーバとの間で前記交換が完了した後、前記発側ゲートウェイへ、前記発側端末の接続先を前記サーバから前記着側端末へ切り替える指示を行い、
前記発側ゲートウェイは、前記切り替えの指示があった際、前記発側端末の接続先を前記サーバから前記着側端末へ切り替え、
前記発側端末は、前記切り替え後、前記発側能力情報データおよび前記着側能力情報データに基づいて、前記着側端末との間でテレビ電話通信を行うことを特徴とする通信システム。
【請求項２】
請求項１に記載の通信システムにおいて、
前記着側能力情報データをあらかじめ登録しておくデータベースを有し、
前記サーバは、前記発信が行われた際、前記データベースから前記着側能力情報データを取得し、該取得した着側能力情報データを用いて、前記発側端末との間で前記発側能力情報データを交換することを特徴とする通信システム。
【請求項３】
請求項１または請求項２に記載の通信システムにおいて、
前記サーバは、前記着側端末との間で前記着側能力情報データの交換が完了した後、前記着側ゲートウェイへ該完了を通知し、
前記着側ゲートウェイは、前記完了の通知を受けた後、前記発側ゲートウェイへ、前記発側端末の接続先を前記サーバから前記着側端末へ切り替える指示を行うことを特徴とする通信システム。
【請求項４】
請求項１または請求項２に記載の通信システムにおいて、
前記着側ゲートウェイは、前記着側端末と前記サーバとの間で前記着側能力情報データの交換が完了した後、前記サーバへ前記映像リングバックトーンの送信停止を指示し、
前記サーバは、前記送信停止が指示された場合、前記映像リングバックトーンの送信を停止することを特徴とする通信システム。
【請求項５】
請求項１乃至４のいずれか１項に記載の通信システムにおいて、
前記着側能力情報データおよび前記発側能力情報データを交換する通信プロトコルは、Ｈ．２４５であることを特徴とする通信システム。
【請求項６】
発信の元となる発側端末から該発信が着信する着側端末への発信が行われた場合、該着側端末が応答するまでの間、該発側端末へ映像リングバックトーンを送信するサーバであって、
前記発信が行われた際、前記発側端末の能力を示す発側能力情報データと、あらかじめ登録された前記着側端末の能力を示す着側能力情報データとを、該発側端末との間で交換し、前記着側端末が応答した際、前記交換した発側能力情報データと、前記着側端末が有する着側能力情報データとを、前記着側端末との間で交換するサーバ。
【請求項７】
発信の元となる発側端末の通信回線への接続処理を行う発側ゲートウェイと、該発信が着信する着側端末の前記通信回線への接続処理を行う着側ゲートウェイと、前記発側端末から前記着側端末への発信が行われた場合、該着側端末が応答するまでの間、該発側端末へ映像リングバックトーンを送信するサーバとを有する通信システムにおける通信方法であって、
前記サーバが、前記発信が行われた際、前記発側端末の能力を示す発側能力情報データと、あらかじめ登録された前記着側端末の能力を示す着側能力情報データとを、該発側端末との間で交換する処理と、
前記サーバが、前記着側端末が応答した際、前記交換した発側能力情報データと、前記着側端末が有する着側能力情報データとを、前記着側端末との間で交換する処理と、
前記着側ゲートウェイが、前記着側端末と前記サーバとの間で前記交換が完了した後、前記発側ゲートウェイへ、前記発側端末の接続先を前記サーバから前記着側端末へ切り替える指示を行う処理と、
前記発側ゲートウェイが、前記切り替えの指示があった際、前記発側端末の接続先を前記サーバから前記着側端末へ切り替える処理と、
前記発側端末が、前記切り替え後、前記発側能力情報データおよび前記着側能力情報データに基づいて、前記着側端末との間でテレビ電話通信を実施する処理とを行う通信方法。
【発明の詳細な説明】
【技術分野】
【０００１】
本発明は、通信を行う通信システム、サーバおよび通信方法に関し、特にテレビ電話通信を行う通信システム、サーバおよび通信方法に関する。
【背景技術】
【０００２】
近年、テレビ電話通信を行う通信システムにおいて、発信側の端末へのリングバックトーンに映像データを使用する技術が考えられている（例えば、特許文献１，２参照。）。
【０００３】
また、３ＧＰＰ（３ｒｄ  Ｇｅｎｅｒａｔｉｏｎ  Ｐａｒｔｎｅｒｓｈｉｐ  Ｐｒｏｊｅｃｔ）規格におけるテレビ電話通信を行うためには、テレビ電話通信の開始時にＩＴＵ−Ｔで規格されているＨ．２４５のプロトコルに従った端末間の映像、音声符号化などに関する能力情報交換を実施する必要がある。上述したように、発信時に発側端末に送信されるリングバックトーンに映像データを用いた場合、発側端末は映像データのリングバックトーンを送信する映像サーバとの間で、使用する映像符号化を示すためにＨ．２４５能力情報の交換を実施する。
【０００４】
また、映像リングバックトーンを提供するサーバを介して、着側端末が応答した後のテレビ電話通信を行う技術が考えられている（例えば、特許文献３参照。）。
【先行技術文献】
【特許文献】
【０００５】
【特許文献１】特開平０９−２４７２７６号公報
【特許文献２】特開２００５−０３３４４２号公報
【特許文献３】特表２０１０−５１８７９１号公報
【発明の概要】
【発明が解決しようとする課題】
【０００６】
特許文献１，２に記載されたような技術においては、映像リングバックトーンを送信した後、着側端末が応答すると、発側端末と着側端末との間でＨ．２４５能力情報の交換を実施する必要がある。しかしながら、Ｈ．２４５においては、同一の通信内における複数回の能力情報交換の手順を規定していない。このため、映像リングバックトーン送信後に、発側端末が接続先を切り替えて、着側端末との間でのテレビ電話通信を行うことができないという問題点がある。
【０００７】
また、特許文献３に記載されたような技術においても、発側端末と着側端末との間でのテレビ電話通信を行うためには、映像リングバックトーンを提供するサーバを介さなければならないという問題点がある。
【０００８】
本発明の目的は、上述した課題を解決する通信システム、サーバおよび通信方法を提供することである。
【課題を解決するための手段】
【０００９】
本発明の通信システムは、
発信の元となる発側端末の通信回線への接続処理を行う発側ゲートウェイと、該発信が着信する着側端末の前記通信回線への接続処理を行う着側ゲートウェイと、前記発側端末から前記着側端末への発信が行われた場合、該着側端末が応答するまでの間、該発側端末へ映像リングバックトーンを送信するサーバとを有する通信システムであって、
前記サーバは、前記発信が行われた際、前記発側端末の能力を示す発側能力情報データと、あらかじめ登録された前記着側端末の能力を示す着側能力情報データとを、該発側端末との間で交換し、前記着側端末が応答した際、前記交換した発側能力情報データと、前記着側能力情報データとを、前記着側端末との間で交換し、
前記着側ゲートウェイは、前記着側端末と前記サーバとの間で前記交換が完了した後、前記発側ゲートウェイへ、前記発側端末の接続先を前記サーバから前記着側端末へ切り替える指示を行い、
前記発側ゲートウェイは、前記切り替えの指示があった際、前記発側端末の接続先を前記サーバから前記着側端末へ切り替え、
前記発側端末は、前記切り替え後、前記発側能力情報データおよび前記着側能力情報データに基づいて、前記着側端末との間でテレビ電話通信を行う。
【００１０】
また、本発明のサーバは、
発信の元となる発側端末から該発信が着信する着側端末への発信が行われた場合、該着側端末が応答するまでの間、該発側端末へ映像リングバックトーンを送信するサーバであって、
前記発信が行われた際、前記発側端末の能力を示す発側能力情報データと、あらかじめ登録された前記着側端末の能力を示す着側能力情報データとを、該発側端末との間で交換し、前記着側端末が応答した際、前記交換した発側能力情報データと、前記着側能力情報データとを、前記着側端末との間で交換する。
【００１１】
また、本発明の通信方法は、
発信の元となる発側端末の通信回線への接続処理を行う発側ゲートウェイと、該発信が着信する着側端末の前記通信回線への接続処理を行う着側ゲートウェイと、前記発側端末から前記着側端末への発信が行われた場合、該着側端末が応答するまでの間、該発側端末へ映像リングバックトーンを送信するサーバとを有する通信システムにおける通信方法であって、
前記サーバが、前記発信が行われた際、前記発側端末の能力を示す発側能力情報データと、あらかじめ登録された前記着側端末の能力を示す着側能力情報データとを、該発側端末との間で交換する処理と、
前記サーバが、前記着側端末が応答した際、前記交換した発側能力情報データと、前記着側能力情報データとを、前記着側端末との間で交換する処理と、
前記着側ゲートウェイが、前記着側端末と前記サーバとの間で前記交換が完了した後、前記発側ゲートウェイへ、前記発側端末の接続先を前記サーバから前記着側端末へ切り替える指示を行う処理と、
前記発側ゲートウェイが、前記切り替えの指示があった際、前記発側端末の接続先を前記サーバから前記着側端末へ切り替える処理と、
前記発側端末が、前記切り替え後、前記発側能力情報データおよび前記着側能力情報データに基づいて、前記着側端末との間でテレビ電話通信を実施する処理とを行う。
【発明の効果】
【００１２】
以上説明したように、本発明においては、映像リングバックトーンが送信された後、発側端末と着側端末との間で、能力情報の交換を直接行うことなく、テレビ電話通信を行うことができる。
【図面の簡単な説明】
【００１３】
【図１】本発明の通信システムの実施の一形態を示す図である。
【図２】図１に示した発側ＣＳ−ＭＧＷの内部構成の一例を示す図である。
【図３】図１に示した着側ＣＳ−ＭＧＷの内部構成の一例を示す図である。
【図４】図１に示した映像サーバの内部構成の一例を示す図である。
【図５】図１に示したデータベースに登録された着側能力情報データの一例を示す図である。
【図６】図１に示した通信システムにおける通信方法を説明するためのシーケンス図である。
【発明を実施するための形態】
【００１４】
以下に、本発明の実施の形態について図面を参照して説明する。
【００１５】
図１は、本発明の通信システムの実施の一形態を示す図である。
【００１６】
本形態は図１に示すように、発側端末１００と、発側ＣＳ−ＭＧＷ２００と、着側端末３００と、着側ＣＳ−ＭＧＷ４００と、映像サーバ５００と、データベース６００と、通信回線７００とから構成されている。
【００１７】
発側端末１００は、テレビ電話通信を行う際の発信者側の（発信の元となる）電話端末であり、映像表示機能、映像撮影機能、テレビ電話通信機能を備えている。また、発側端末１００は、着側端末３００との間でテレビ電話通信を行う際、発側端末１００の能力を示す発側能力情報データおよび着側端末３００の能力を示す着側能力情報データに基づいて、テレビ電話通信を行う。この能力情報データは、Ｈ．２４５の通信プロトコルを用いて、映像データを送受信できる通信端末間で交換される、映像や音声の符号化などに関する能力を示す情報であり、例えば、画像用の符号化方式や表示できる解像度などを示すものである。
【００１８】
ここで、「交換」とは、「物の交換」という意味合いではなく、「情報の交換」の意味合いである。つまり、この交換で、自身が持っている情報を相手方へ渡してしまうという意味ではなく、自身が持っている情報を保持したまま、その情報を相手方へ提示し合うという意味である。例えば、２つの装置間でその情報を用いて通信をするためにネゴシエーションを行うことであり、その情報を互いの装置にて認識することができれば良く、当該情報を互いに送受信するものであっても良い（以下の記載について同じ）。
【００１９】
発側ＣＳ−ＭＧＷ２００（発側ゲートウェイ）は、３ＧＰＰ規格ＴＳ２３．００２で定義されるＣＳ−ＭＧＷ（Ｃｉｒｃｕｉｔ  Ｓｗｉｔｃｈｅｄ−Ｍｅｄｉａ  Ｇａｔｅｗａｙ）であり、インターネットプロトコルを使用した電話網である通信回線７００において発側端末１００の通信回線７００への接続処理を行う機能を備えている機器である。
【００２０】
着側端末３００は、テレビ電話通信を行う際の着信者側の電話端末であり、映像表示機能、映像撮影機能、テレビ電話通信機能を備えている。
【００２１】
着側ＣＳ−ＭＧＷ４００（着側ゲートウェイ）は、３ＧＰＰ規格ＴＳ２３．００２で定義されるＣＳ−ＭＧＷであり、インターネットプロトコルを使用した電話網である通信回線７００において着側端末３００の通信回線７００への接続処理を行う機能を備えている機器である。
【００２２】
映像サーバ５００は、発側端末１００および着側端末３００との間で、発側端末１００の発側能力情報データおよび着側端末３００の着側能力情報データの交換機能、映像データ送出機能、能力情報データを記憶するためのメモリを具備するサーバである。また、この映像データ送出機能は、発側端末１００から着側端末３００への発信が行われた場合、着側端末３００が応答するまでの間、発側端末１００へ映像リングバックトーンを送信する機能である。
【００２３】
データベース６００は、着側端末３００の着側能力情報データをあらかじめ記憶する。また、データベース６００に記憶されている着側能力情報データは、映像サーバ５００から取得可能である。
【００２４】
図２は、図１に示した発側ＣＳ−ＭＧＷ２００の内部構成の一例を示す図である。
【００２５】
図１に示した発側ＣＳ−ＭＧＷ２００には図２に示すように、端末インタフェース部２１０と、回線インタフェース部２２０と、制御部２３０とが設けられている。
【００２６】
端末インタフェース部２１０は、発側端末１００との間のインタフェース機能を持つ。
【００２７】
回線インタフェース部２２０は、通信回線７００との間のインタフェース機能を持つ。
【００２８】
制御部２３０は、後述する発側ＣＳ−ＭＧＷ２００が行う処理を実行し、発側ＣＳ−ＭＧＷ２００全体を制御する。例えば、制御部２３０は、発側端末１００の通信回線７００への接続を制御する。
【００２９】
図３は、図１に示した着側ＣＳ−ＭＧＷ４００の内部構成の一例を示す図である。
【００３０】
図１に示した着側ＣＳ−ＭＧＷ４００には図３に示すように、端末インタフェース部４１０と、回線インタフェース部４２０と、制御部４３０とが設けられている。
【００３１】
端末インタフェース部４１０は、着側端末３００との間のインタフェース機能を持つ。
【００３２】
回線インタフェース部４２０は、通信回線７００との間のインタフェース機能を持つ。
【００３３】
制御部４３０は、後述する着側ＣＳ−ＭＧＷ４００が行う処理を実行し、着側ＣＳ−ＭＧＷ４００全体を制御する。例えば、制御部４３０は、着側端末３００の通信回線７００への接続を制御する。
【００３４】
図４は、図１に示した映像サーバ５００の内部構成の一例を示す図である。
【００３５】
図１に示した映像サーバ５００には図４に示すように、データベースインタフェース部５１０と、回線インタフェース部５２０と、制御部５３０と、メモリ５４０とが設けられている。
【００３６】
データベースインタフェース部５１０は、データベース６００との間のインタフェース機能を持ち、データベース６００に登録（保存）されている着側能力情報データを取得する（読み出す）。また、データベースインタフェース部５１０は、データベース６００から取得した着側能力情報データを制御部５３０へ出力する。
【００３７】
回線インタフェース部５２０は、通信回線７００との間のインタフェース機能を持つ。
【００３８】
制御部５３０は、後述する映像サーバ５００が行う処理を実行し、映像サーバ５００全体を制御する。例えば、制御部５３０は、データベースインタフェース部５１０から出力されてきた着側能力情報データを用いて、回線インタフェース部５２０を介して発側端末１００との間で発側能力情報データの交換を行う。また、制御部５３０は、発側端末１００から着側端末３００への発信が行われた場合、着側端末３００が応答するまでの間、回線インタフェース部５２０を介して発側端末１００へ映像リングバックトーンを送信する。このとき、映像リングバックトーンに使用する映像データは、メモリ５４０に保存されているものであっても良いし、外部のサイト等から取得されたものであっても良い。また、制御部５３０は、上述した能力情報データの交換で取得した発側能力情報データをメモリ５４０に書き込む。
【００３９】
メモリ５４０は、制御部５３０によって書き込まれた発側能力情報データを記憶（保存）する。また、メモリ５４０は、映像リングバックトーンに使用する映像データを保存するものであっても良い。
【００４０】
図５は、図１に示したデータベース６００に登録された着側能力情報データの一例を示す図である。
【００４１】
図１に示したデータベース６００には図５に示すように、着側端末の電話番号と、その着信端末の着側能力情報データとが対応付けられて登録（記憶）されている。これらは、あらかじめ登録されているものである。なお、図５に示した電話番号は、説明の便宜上の番号であり、実在するものとは無関係である。
【００４２】
以下に、図１に示した通信システムにおける通信方法について説明する。
【００４３】
図６は、図１に示した通信システムにおける通信方法を説明するためのシーケンス図である。ここで、能力情報データを「Ｈ．２４５能力情報データ」として説明する。
【００４４】
まず、着側端末３００のＨ．２４５能力情報データと着側端末３００の電話番号とをデータベース６００に登録しておく（ステップＳ１）。
【００４５】
発側端末１００から着側端末３００へ発信が行われると、着側端末３００の電話番号が付加された接続要求が、発側端末１００から発側ＣＳ−ＭＧＷ２００へ送信される（ステップＳ２）。
【００４６】
発側ＣＳ−ＭＧＷ２００にて、発側端末１００から送信されてきた着側端末３００への接続要求が受信されると、発側ＣＳ−ＭＧＷ２００から通信回線７００を介して着側ＣＳ−ＭＧＷ４００へ接続要求が送信される（ステップＳ３）。
【００４７】
着側ＣＳ−ＭＧＷ４００にて、発側ＣＳ−ＭＧＷ２００から送信されてきた着側端末３００への接続要求が受信されると、着側ＣＳ−ＭＧＷ４００から着側端末３００へ接続要求が送信される（ステップＳ４）。また、着側ＣＳ−ＭＧＷ４００から映像サーバ５００へ接続要求が送信される（ステップＳ５）。この映像サーバ５００への接続要求は、映像サーバ５００に対する、発側端末１００への映像リングバックトーンの送信要求である。
【００４８】
映像サーバ５００にて、着側ＣＳ−ＭＧＷ４００から送信されてきた接続要求が受信されると、受信された接続要求に含まれる着側端末３００の電話番号に基づいて、データベース６００から着側端末３００のＨ．２４５能力情報データが取得される（ステップＳ６）。このとき、受信された接続要求に含まれる着側端末３００の電話番号と対応付けられて登録されているＨ．２４５能力情報データが、映像サーバ５００によってデータベース６００から取得される。
【００４９】
すると、映像サーバ５００と発側端末１００との間でＨ．２４５能力情報データの交換が行われる（ステップＳ７）。ここでは、データベース６００から取得された着側端末３００のＨ．２４５能力情報データと、発側端末１００のＨ．２４５能力情報データとが、映像サーバ５００と発側端末１００との間で交換される。
【００５０】
また、この交換で発側端末１００から受信（取得）した発側端末１００のＨ．２４５能力情報データは、映像サーバ５００の制御部５３０によってメモリ５４０に保存される（ステップＳ８）。
【００５１】
映像サーバ５００と発側端末１００との間でのＨ．２４５能力情報データの交換が完了すると、映像サーバ５００から発側端末１００へ映像リングバックトーンが送信される（ステップＳ９）。
【００５２】
その後、発側端末１００からの発信に対して着側端末３００が応答すると、着側端末３００から着側ＣＳ−ＭＧＷ４００へ応答が送信される（ステップＳ１０）。
【００５３】
着側端末３００から送信されてきた応答が着側ＣＳ−ＭＧＷ４００にて受信されると、着側ＣＳ−ＭＧＷ４００から映像サーバ５００へ、着側端末３００との接続を行うように指示が送信される（ステップＳ１１）。
【００５４】
着側ＣＳ−ＭＧＷ４００から接続の指示を受信した映像サーバ５００にて、メモリ５４０に保存してある発側端末１００のＨ．２４５能力情報データが制御部５３０によって読み出される（ステップＳ１２）。そして、読み出された発側端末１００のＨ．２４５能力情報データを用いて、映像サーバ５００と着側端末３００との間でＨ．２４５能力情報データの交換が行われる（ステップＳ１３）。ここでは、メモリ５４０から読み出された発側端末１００のＨ．２４５能力情報データと、着側端末３００のＨ．２４５能力情報データとが、映像サーバ５００と着側端末３００との間で交換される。
【００５５】
映像サーバ５００と着側端末３００との間におけるＨ．２４５能力情報データの交換が完了すると、映像サーバ５００から着側ＣＳ−ＭＧＷ４００へ、Ｈ．２４５能力情報データの交換完了の旨を示す交換完了通知が送信される（ステップＳ１４）。
【００５６】
映像サーバ５００から送信された交換完了通知が着側ＣＳ−ＭＧＷ４００にて受信されると、着側ＣＳ−ＭＧＷ４００から映像サーバ５００へ、映像リングバックトーンの送信の停止指示が送信される（ステップＳ１５）。
【００５７】
すると、映像サーバ５００にて、発側端末１００への映像リングバックトーンの送信が停止される（ステップＳ１６）。
【００５８】
また、着側ＣＳ−ＭＧＷ４００から発側ＣＳ−ＭＧＷ２００へ、発側端末１００の接続先を映像サーバ５００から着側端末３００へ切り替えるための接続切り替え指示が送信される（ステップＳ１７）。
【００５９】
すると、着側ＣＳ−ＭＧＷ４００から送信された接続切り替え指示が発側ＣＳ−ＭＧＷ２００にて受信されると、発側ＣＳ−ＭＧＷ２００によって、発側端末１００の接続先が映像サーバ５００から着側端末３００へ切り替えられる。そして、発側端末１００と着側端末３００との間でテレビ電話通信が行われる（実施される）（ステップＳ１８）。このときに用いられるＨ．２４５能力情報データは、上述した処理で交換されたＨ．２４５能力情報データである。
【００６０】
また、発側ＣＳ−ＭＧＷ２００および着側ＣＳ−ＭＧＷ４００として、回線交換網で使用される交換機を使用するものであっても良い。この場合、発側端末１００と着側端末３００との間でテレビ電話通信を行う際に、Ｈ．２４５能力情報交換を実施するには、本発明により映像リングバックトーンの提供が可能である。
【００６１】
以上説明したように、本発明においては、以下のような効果を奏する。
【００６２】
第１の効果は、発側端末１００と映像サーバ５００との間で、Ｈ．２４５能力情報データの交換を実施しているため、映像サーバ５００から発側端末１００へ映像リングバックトーンを送信できることである。
【００６３】
第２の効果は、映像サーバ５００はデータベース６００から着側端末３００のＨ．２４５能力情報データを取得して発側端末１００とＨ．２４５能力情報交換を実施しているため、着側端末３００は発側端末１００と直接Ｈ．２４５能力情報交換を実施することなく、発側端末１００との間でテレビ電話通信を行うことができることである。
【００６４】
第３の効果は、映像サーバ５００は発側端末１００のＨ．２４５能力情報データをメモリ５４０に格納し、メモリ５４０に格納されているＨ．２４５能力情報データを使用して着側端末３００とＨ．２４５能力情報交換を実施しているため、発側端末１００は着側端末３００と直接Ｈ．２４５能力情報交換を実施することなく、着側端末３００とのテレビ電話通信を行うことができることである。
【符号の説明】
【００６５】
１００    発側端末
２００    発側ＣＳ−ＭＧＷ
２１０，４１０    端末インタフェース部
２２０，４２０，５２０    回線インタフェース部
２３０，４３０，５３０    制御部
３００    着側端末
４００    着側ＣＳ−ＭＧＷ
５００    映像サーバ
５１０    データベースインタフェース部
５４０    メモリ
６００    データベース
７００    通信回線
【図１】
0005743708.tif 000002
【図２】
0005743708.tif 000003
【図３】
0005743708.tif 000004
【図４】
0005743708.tif 000005
【図５】
0005743708.tif 000006
【図６】
0005743708.tif 000007